(57)【要約】      （修正有）【課題】操作者が手持ち式体液測定計を安定して持つことができ、手に持った状態で体液採取チップを挿入しやすくする。【解決手段】体液採取チップＴを用いて、前記体液中の所定成分を測定する手持ち式体液測定計１であって、前記体液採取チップＴが挿入される挿入口を備え、当該挿入口に挿入された前記体液採取チップＴにより体液中の所定成分を測定する測定機器を内部に収容し、手持ち操作に際して把持される測定機器収容部４１と、前記測定機器収容部４１から延出して設けられ、測定結果を表示するディスプレイ３１を収容するディスプレイ収容部４２と、を備え、前記測定機器収容部４１の厚みが前記ディスプレイ収容部４２の厚みよりも大きく、全体の重心Ｇが、前記測定機器収容部４１に位置するとともに、前記測定機器収容部４１が、前記挿入口の周囲全体に設けられ、前記体液採取チップＴを前記挿入口に案内する案内面４１Ａを有する。【選択図】図４
2009276253.tif 000002
【特許請求の範囲】
【請求項１】
体液が採取された体液採取チップを用いて、前記体液中の所定成分を測定する手持ち式体液測定計であって、
前記体液採取チップが挿入される挿入口を備え、当該挿入口に挿入された前記体液採取チップにより体液中の所定成分を測定する測定機器を内部に収容し、手持ち操作に際して把持される測定機器収容部と、
前記測定機器収容部から延出して設けられ、前記測定機器による測定結果を表示するディスプレイを収容するディスプレイ収容部と、を備え、
前記測定機器収容部の厚み寸法が前記ディスプレイ収容部の厚み寸法よりも大きく、
全体の重心が、前記測定機器収容部に位置するとともに、
前記測定機器収容部が、前記挿入口の周囲全体に設けられ、前記体液採取チップを前記挿入口に案内する案内面を有する手持ち式体液測定計。
【請求項２】
前記挿入口及び前記ディスプレイの表示画面が、同一側に設けられており、且つ前記表示画面の法線方向に対する前記挿入口の開口方向の傾き角度が鋭角である請求項１記載の手持ち式体液測定計。
【請求項３】
前記案内面が、前記測定機器収容部に形成された凹部内周面である請求項１又は２記載の手持ち式体液測定計。
【請求項４】
載置面上に載置された状態において、前記載置面に前記測定機器収容部のみが接触し、前記ディスプレイ収容部及び前記載置面の間に空隙が形成される請求項１、２又は３記載の手持ち式体液測定計。
【発明の詳細な説明】
【技術分野】
【０００１】
本発明は、血液中のグルコースなどの体液中の特性成分を測定するための体液測定計に関し、特に、手持ち操作される手持ち式体液測定計に関するものである。
【背景技術】
【０００２】
この種の体液成分測定計としては、例えば特許文献１又は特許文献２に示すように、血液などの体液を採取した体液採取チップを用いて体液中の成分（例えば体液が血液であればグルコース等）を測定するものがある。この体液成分測定計は、体液採取チップが挿入される挿入口と、当該挿入口に挿入された体液採取チップにより体液中の成分を測定する測定機器と、この測定機器による測定結果を表示する表示部とを備えている。
【０００３】
そして、これらの体液成分測定計は、概略直方体形状をなし、その上面に表示部の測定画面が設けられ、その側面に体液採取チップを挿入する挿入口が設けられている。つまり、挿入口は、測定画面の面方向に直交する方向に開口している。
【０００４】
しかしながら、このような構成では、挿入口が側面に設けられていること（特許文献１）又は側方に向かって開口していること（特許文献２）から体液採取チップを挿入しにくい上に、体液測定計の重心位置が手に持ってみなければ分からず、体液採取チップを挿入する際に手でしっかり把持しなければ、体液測定計のバランスを崩してしまい、体液測定計を落としてしまう危険性があるという問題がある。
【特許文献１】特開２００５−１３４１９０号公報
【特許文献２】特開２００７−２３２３７８号公報
【発明の開示】
【発明が解決しようとする課題】
【０００５】
そこで本発明は、上記問題点を一挙に解決するためになされたものであり、手持ち式体液測定計において、操作者が体液測定計を安定して持つことができるようにし、さらに、手に持った状態において、体液採取チップを挿入しやすくすることをその主たる所期課題とするものである。
【課題を解決するための手段】
【０００６】
すなわち本発明に係る手持ち式体液測定計は、体液が採取された体液採取チップを用いて、前記体液中の所定成分を測定する手持ち式体液測定計であって、前記体液採取チップが挿入される挿入口を備え、当該挿入口に挿入された前記体液採取チップにより体液中の所定成分を測定する測定機器を内部に収容し、手持ち操作に際して把持される測定機器収容部と、前記測定機器収容部から延出して設けられ、前記測定機器による測定結果を表示するディスプレイを収容するディスプレイ収容部と、を備え、前記測定機器収容部の厚み寸法が前記ディスプレイ収容部の厚み寸法よりも大きく、測定計全体の重心が、前記測定機器収容部に位置するとともに、前記測定機器収容部が、前記挿入口の周囲全体を取り囲むように設けられ、前記体液採取チップを前記挿入口に案内する案内面を有することを特徴とする。ここで、体液には、尿、血液、血清、羊水、唾液、涙、胃液、膵液、胆汁、鼻水、膣液、結膜液、大便、精液及び汗などの生体由来の液性成分である。
【０００７】
このようなものであれば、測定機器収容部の厚み寸法をディスプレイ収容部の厚み寸法よりも大きくし、測定計全体の重心が測定機器収容部に位置するようにしているので、手に持つ前において重心位置を予想することができるとともに、手持ち状態において体液測定計を安定して持つことができる。また、案内面が挿入口の周囲全体に設けられているので、体液採取チップを確実に挿入口に挿入することができる。このように、安定して体液測定計を持つことができ、体液採取チップを極めて簡単に挿入することができる、使い勝手の良い手持ち式体液測定計を提供することができる。
【０００８】
表示画面を見ながら挿入口に体液採取チップを挿入することができるようにして、例えば体液採取チップのサンプルが、表示画面上に表示されたサンプル番号と一致するか否かを確認し易くして、誤った体液採取チップの挿入を防止するためには、前記測定機器収容部を把持した手持ち状態において、前記挿入口の開口及び前記表示画面が視認可能であることが望ましい。具体的には、前記挿入口及び前記ディスプレイの表示画面が、同一側に設けられており、且つ前記表示画面の法線方向に対する前記挿入口の開口方向の傾き角度が鋭角であることが望ましい。
【０００９】
案内面の構成を簡単にするとともに、測定機器収容部の製造を簡単化にするためには、前記案内面が、前記測定機器収容部に形成された凹部内周面であることが望ましい。またこの構成により、案内面に体液が付着したとしても、操作者及び測定計周囲に体液が触れにくくなる。
【００１０】
また、載置面上に載置された状態において、前記載置面に前記測定機器収容部のみが接触し、前記ディスプレイ収容部及び前記載置面の間に空隙が形成されることが望ましい。これならば、ディスプレイ収容部と載置面との間に空隙が形成されていることにより、体液測定計の持ち上げ動作を容易に行うことができる。
【発明の効果】
【００１１】
このように本発明によれば、手持ち式体液測定計において、操作者が体液測定計を安定して持つことができるようにし、さらに、手に持った状態において、体液採取チップを挿入しやすくすることができる。
【発明を実施するための最良の形態】
【００１２】
次に、本発明に係る体液測定計１の一実施形態について図面を参照して説明する。なお、図１は本実施形態の体液測定計１の機能構成を示す模式図であり、図２は体液測定計１の斜視図であり、図３は体液測定計１の側面図であり、図４は体液測定計の縦断面図であり、図５は使用状態を示す模式図である。
【００１３】
＜装置構成＞
【００１４】
本実施形態に係る体液測定計１は、体液である血液が採取された体液採取チップＴを用いて、体液中の所定成分を測定するものであり、操作者により携帯可能な手持ち式のものである。
【００１５】
具体的にこのものは、図１に示すように、例えば血液中の血糖値を測定する測定機器２と、当該測定機器２による測定結果を表示するための表示機器３と、体液採取チップＴが挿入される挿入口４０１を有し、測定機器２及び表示機器３を収容する筐体４とを備えている。
【００１６】
測定機器２は、図１に示すように、挿入口４０１に挿入された体液採取チップＴにより血液中の血糖値を測定するものであり、挿入された体液採取チップＴに対して進退移動する酵素電極センサ２１と、当該酵素電極センサ２１に対して測定用電圧を印加する測定用電源２２と、酵素電極センサ２１から出力される電流を検出する電流検出部２３と、前記測定用電源２２を制御するとともに、検出電流を微分演算し、その微分値の最大値を検出して血液中の測定対象成分であるグルコースの濃度を算出して血糖値を算出する演算部２４と、を備えている。酵素電極センサ２１は、先端部に白金（Ｐｔ）電極を備え、その表面にグルコースオキシターゼ（ＧＯＤ）固定化膜が被膜されている。そして、酵素電極センサ２１は、体液採取チップＴに設けられた開口Ｔ１を介して分離膜Ｔ２に接触する。
【００１７】
表示機器３は、図１に示すように、前記測定機器２の演算部２４から演算結果を表示するものであり、ディスプレイ３１と、当該ディスプレイ３１上の表示を制御する表示制御部３２とを備えている。ディスプレイ３１は、液晶ディスプレイや液晶タッチパネルディスプレイなどを用いることができる。
【００１８】
筐体４は、図２〜図４に示すように、体液採取チップＴが挿入される挿入口４０１を備え、測定機器２を内部に収容する測定機器収容部４１と、測定機器収容部４１から延出して設けられ、表示機器３のうち少なくともディスプレイ３１を収容するディスプレイ収容部４２と、を備えている。なお、表示機器３の表示制御部３２は、測定機器収容部４１に収容するようにしても良いし、ディスプレイ収容部４２に収容するようにしても良い。また、筐体４の上面において、挿入口４０１及びディスプレイ３１の間には、ディスプレイ３１又は測定機器２を操作するための操作ボタンＢ１が設けられている。また、筐体４の側面には、挿入口４０１に挿入された体液採取チップＴを取り出すためのイジェクトボタンＢ２が設けられている。
【００１９】
測定機器収容部４１は、手持ち操作に際して把持される把持部４１１を有するものであり、当該把持部４１１は、挿入口４０１が設けられた上面（手持ち状態において操作者と対向する面）と反対側の下面又は側面から形成される。そして把持部４１１（下面又は側面）は、手の平にフィットし易く持ちやすい形状をなしており、例えば球面状である。
【００２０】
また、測定機器収容部４１は、図２及び図４に示すように、挿入口４０１の周囲全体に設けられ、体液採取チップＴを挿入口４０１に案内する案内面４１Ａを有する。この案内面４１Ａは、測定機器収容部４１の上面に設けられた凹部４１２の内周面により形成されている。つまり、挿入口４０１は、測定機器収容部４１に形成された凹部４１２の底面に形成されている。凹部４１２は、挿入口４０１に行くに従って窄まる形状をなし、その開口が概略楕円形状であり、凹部４１２の内周面が、縦断面において凹状の湾曲面となるようにしている。なお、凹部４１２の内周面は、傾斜面であっても良い。このように凹部４１２の内周面を案内面４１Ａとしていることで、案内面４１Ａに血液が付着した場合でも、血液が測定機器収容部４１の凹部４１２以外の面（例えば把持部４１１）に垂れることを防止することができる。また、操作者及び測定計１周囲に血液を触れにくくすることができる。
【００２１】
ディスプレイ収容部４２は、測定機器収容部４１の上面側から直線状に延出して設けられたものであり、側面視概略板状であり、延伸方向において等断面形状をなすものである。そして、ディスプレイ収容部４２の上面（手持ち状態において操作者と対向する面）には、ディスプレイ３１の表示画面３１ａが外部に臨むように設けられる。つまり、ディスプレイ３１の表示画面３１ａは、測定機器収容部４１に設けられた挿入口４０１と同一側（上面側）に設けられている。
【００２２】
ここで、測定機器収容部４１の厚み寸法とディスプレイ収容部４２の厚み寸法とは異なるようにしている。具体的には図４等に示すように、測定機器収容部４１の厚み寸法の方が、ディスプレイ収容部４２の厚み寸法よりも大きい。なお、厚み寸法とは、下面と上面との間の寸法である。このように、測定機器収容部４１の厚み寸法をディスプレイ収容部４２の厚み寸法よりも大きくすることにより、体液測定計１の重心位置を視覚的に操作者に認識させることができる。また、測定計１全体を視覚的にコンパクトに見せることができ、病院で用いる場合において患者に与える圧迫感を緩和することができる。
【００２３】
そして、測定機器収容部４１に測定計全体の重心Ｇが位置するようにしている。具体的には、当該重心Ｇが、測定機器収容部４１を把持した手持ち状態において、測定機器収容部４１を把持する手の平の略中央部分に位置するようにしている。これにより、手持ち状態において安定感を得ることができる。
【００２４】
さらに、図３に示すように、体液測定計１が載置面Ｐ上に載置された状態において、載置面Ｐに測定機器収容部４１のみが接触し、ディスプレイ収容部４２及び載置面Ｐの間に空隙Ｓが形成されるように重心Ｇを設定している。図３においては、体液測定計１は、載置面Ｐ上に表示画面３１ａが略水平となるように載置されているのがこれに限られず、ディスプレイ収容部４２が載置面Ｐと接触しない範囲で載置されるようにすれば良い。これにより、ディスプレイ収容部４２及び載置面Ｐの間に空隙Ｓに手を差し込むことによって、載置された体液測定計１を持ち上げる動作を容易にすることができる。また、病院のベッドなど柔軟性を有する載置面Ｐに載置された状態において、測定機器収容部４１がベッド内に沈んだ場合でも、ディスプレイ収容部４２は沈みにくいので、持ち上げ動作を容易にすることができる。
【００２５】
その上、本実施形態の体液測定計１は、前述した通り、測定機器収容部４１に設けられた挿入口４０１とディスプレイ３１の表示画面３１ａとが、同一側（上面側）に設けられている。つまり、手持ち状態において、挿入口４０１が操作者側を向くとともに、表示画面３１ａが操作者側を向くようにしている。具体的には、挿入口４０１は、測定機器収容部４１の上面において、ディスプレイ収容部４２が設けられた方向とは反対側に傾くように設けられている。より詳細には、表示画面３１ａの法線方向に対する挿入口４０１の開口方向の傾き角度θが、鋭角となるように設けられている。このような構成により、図５に示すように、測定機器収容部４１を把持した手持ち状態において、挿入口４０１の開口及び表示画面３１ａが視認可能となるとともに、表示画面３１ａに対して挿入口４０１が傾いて設けられているので、体液採取チップＴが挿入しやすい。また、体液採取チップＴの挿入動作を患者に見えにくくすることができ、患者に安心感を与えることができるようになる。
【００２６】
＜本実施形態の効果＞
【００２７】
このように構成した本実施形態に係る体液測定計１によれば、測定機器収容部４１の厚み寸法をディスプレイ収容部４２の厚み寸法よりも大きくし、測定計全体の重心Ｇが測定機器収容部４１に位置するようにしているので、手に持つ前において重心位置を予想することができるとともに、手持ち状態において体液測定計１を安定して持つことができる。また、案内面４１Ａが挿入口の周囲全体に設けられているので、体液採取チップＴを確実に挿入口に挿入することができる。このように、安定して体液測定計１を持つことができ、体液採取チップＴを極めて簡単に挿入することができる、使い勝手の良い手持ち式体液測定計１を提供することができる。
【００２８】
＜その他の変形実施形態＞
【００２９】
なお、本発明は前記実施形態に限られるものではない。以下の説明において前記実施形態に対応する部材には同一の符号を付すこととする。
【００３０】
例えば、前記実施形態では体液測定計を載置面上に載置した状態において、ディスプレイ収容部が載置面に接触しないようにしているが、これに限られない。この場合であってもディスプレイ収容部を測定機器収容部の上面側に設けるとともに、ディスプレイ収容部の厚み寸法を測定機器収容部の厚み寸法よりも小さくしておけば、載置面との間に空隙が形成されるので、持ち上げ作業を容易にすることができる。
【００３１】
また、ディスプレイ収容部の先端部にバーコードリーダ等の識別子を読み取るための識別子読取手段を設けても良い。これにより、データ管理を簡単化できるとともに、被験者に取り付けられたバーコード等を安定感ある操作より読み取ることができる。
【００３２】
その上、前記実施形態（図３等）において、把持部（下面又は側面）が球面状をなすものであり、載置面との接触面積が小さいが、載置面との接触面積を大きくし、載置面上に載置した際に、体液測定計の安定性を確保するためには、測定機器収容部の下面に平面部を形成するようにしても良い。また、載置状態において安定させるために測定機器収容部の下面に支持突起を設けるようにしても良い。これにより、ワゴンに載せて運ぶ場合等に体液測定計を揺れにくくすることができ、安定して運ぶことができる。
【００３３】
その他、前述した実施形態や変形実施形態の一部又は全部を適宜組み合わせてよいし、本発明は前記実施形態に限られず、その趣旨を逸脱しない範囲で種々の変形が可能であることは言うまでもない。
【図面の簡単な説明】
【００３４】
【図１】本発明の一実施形態に係る体液測定計の模式的構成図。
【図２】同実施形態の体液測定計の斜視図。
【図３】同実施形態の体液測定計の側面図。
【図４】同実施形態の体液測定計の縦断面図。
【図５】同実施形態の使用状態を示す図。
【符号の説明】
【００３５】
Ｔ    ・・・体液採取チップ
１    ・・・体液測定計
２    ・・・測定機器
３１  ・・・ディスプレイ
４０１・・・挿入口
４１  ・・・測定機器収容部
４１Ａ・・・案内面
４１２・・・凹部
４２  ・・・ディスプレイ収容部
Ｇ    ・・・重心
Ｐ    ・・・載置面
Ｓ    ・・・空隙
【図１】
2009276253.tif 000003
【図２】
2009276253.tif 000004
【図３】
2009276253.tif 000005
【図４】
2009276253.tif 000006
【図５】
2009276253.tif 000007